(57)【要約】      （修正有）【課題】昼間の太陽光線を利用してソーラーパネルを以って発電し、これをバッテリーによって蓄電したものを、夜間を通じて一日中案内板を確認したり、有線により通常の電気を通電し、移動体通信パネル（携帯電話機能を内蔵）によって各種の情報、バス路線、各種の広告、宣伝に供するものである。【解決手段】案内板本体１の下部よりバッテリー４を内蔵した基台２と、その上部に液晶パネルよりなる移動体通信パネルと時刻表を設けた案内部３を装設し、その案内部３の上部にソーラーパネル８を装設した。【選択図】図１
2009217224.tif 000002
【特許請求の範囲】
【請求項１】
案内板本体（１）には、最下部にバッテリー（４）を内臓した基台（２）を設置し、該其台（２）の上部には、連結杆（８）を介在して案内部（３）を設け、該案内部（３）には、上部に液晶パネルよりなる移動体通信機能（携帯電話機能）を内蔵した映像表示装置であるモニター（５）を設けると共に、下部に発光ダイオードよりなる強化プラスチック製の時刻表（６）を据え付け、且つ該案内部（３）には、内部に通常の有線による電気通電の引き込み装置とネット接続ケーブル（７）を設け、最上部にソーラーパネル（８）を装設した事を特徴とするモバイルパネル版付バス停留所案内板。
【発明の詳細な説明】
【技術分野】
【０００１】  本発明は、昼間の太陽光線をソーラーパネルを以って電気を発電し、これをバッテリーによって蓄電し、夜間を通じて一日中案内板を確認できること、又は、有線による電気を通電する機能及びネット（有線ウェブ接続可能なもの）接続機能を装着すると共に、移動体通信パネル（携帯電話機能を内蔵する）に各種（政府広報・緊急災害時通報及びバス会社運行に関するもの）の情報、バス路線沿線に存在する駅前の各種ショップを含めた広告宣伝をする事を目的としたモバイルパネル版付バス停留所案内板に関するものである。
【背景技術】
【０００２】  従来この種における停留所の立設されている案内板は、時刻表、行き先の表示及び一部に固定の１枚だけの広告宣伝を表示したものが一般に散見されている現状である。
【発明の開示】
【発明が解決しようとする課題】
【０００３】  本発明で、上記従来で述べている各種の構成を全体的に改良したものである。
即ち、従来のものは、夜間では案内板の時刻表が読めない不便さ、及びバス本社よりの事故、渋滞等の情報が知らされず、且つ広告宣伝は、ポスターを張替える等の方法が一般的であるため、製作に要する手間と費用が大変に掛かる問題点がある。
本発明は、以上の各問題点に解決したものであって、その主たる目的とする所は、案内板に対する広告の張替えに要する費用が節約できると共に、写真を記憶した携帯電話であれば、短距離無線機能を有する液晶パネルに向かって携帯番号を押せば瞬時に広告等を変更できるものである。
また、携帯電話機能の据え付けにより、バス本社からの送信により広告宣伝の原稿写真等は、瞬時に変更できるものである。また、有線による電気通電装置及びネット（有線ウェブ接続可能なもの）接続機能をも持ちさまざまな情報及び広告宣伝の伝達を可能にしたもの。
更に、内臓された携帯電話機能を一部変更して、カメラ装置を設置することにより防犯にも役に立ち、将来、地域を網羅するバス本社の無線基地局としての利用価値を拡大するものである。
また、案内部の据え付けた機能の一部に、バスの通過したことが時間と共に、本社に送信されることにより、円滑の運行形態がバス本社にて確認されるモバイルパネル版付バス停留所案内板を提供しようとするものである。
時刻表は内部に発光ダイオードによる照明装置を内蔵して、夜間でも充分に時刻表が読むことができ、防犯等の役目をも兼ねるものである。
【課題を解決するための手段】
【０００４】    上記目的を達成するために、本発明によれば、案内板本体は、縦型に立設され、最下端にバッテリーを内臓した基台を設置する。該基台の上部に案内部を立設する。この案内部には、上部に液晶パネルよりなる移動体通信パネル（携帯電話機能装置を内蔵している）を装設し、その下部に発光ダイオードの消費電力の極端に少ない強化プラスチック製の時刻表を装設する。
また、液晶広告である該案内部には、その上部に電気を発電及び蓄電するソーラーパネルを据え付けること及び通常の電気を有線により通電する装置とネット（有線ウェブ接続可能なもの）接続機能を特徴とする。
【発明の効果】
【０００５】  本発明によれば、従来の案内板と異なり、宣伝広告を製作及び張替え等の手間と費用が不要となる効果と、夜間でも案内部の時刻が容易に読める便利な効果がある。そして、案内板本体の最下部に設けたバッテリー内蔵した基台によれば、重量のある安定した案内板を装設でき、且つ最上部に設けたソーラーパネルによって太陽光を受けて電気を発電及び蓄電できるので、電気は半永久的に補給する必要がなく、使用できるという実利的な効果がある。また、案内部の上部に設けた移動体通信パネル（液晶広告板）の内部には、携帯電話機能の外にＩＣチップ及びミニカード差込機能と、短距離無線機能（ブルーツース機能）及び携帯電話機能を据え付け、また、通常の電気を有線により通電する装置とネット（有線ウェブ接続可能なもの）接続機能により有線にて広告宣伝できる便利な効果がある。更に、該案内部の下部に装設した時刻表によれば、発光ダイオード（ＬＥＤ）による消費電力の少ない効果と、ガラス製の時刻表のため、夜間においても案内板の時刻が容易に読める便利な効果がある。また、該移動体通信パネルに各種の広告宣伝をすることによって、収入を得ることによって案内板の製作費用を廉価にできる利点がある。
【発明を実施するための最良の形態】
【０００６】  次に、本発明の最良の用法を説明すると、案内板本体は、昼間の太陽光ソーラーパネルから蓄電され、夜間においても、案内板の時刻表が読めるように通電する。一部は、通常の電気が使用できる差込機能を設ける。液晶パネルよりなる移動体通信パネルには、バス等の本社よりの事故、渋滞等の情報を文字によって該移動体通信パネルより流れるようになる。また、該移動体通信パネルは、地震等の発生や避難勧告を知らせる官公庁の情報も同様に流れるようにする。
更に、該移動体通信パネルには、特にバス路線に関係する地域に密着した飲食店、物品販売店の宣伝等にも使用できるものである。
【実施例】
【０００７】  本発明の実施例を図面について説明すると、図面の示す如く、案内板本体（１）には、最下部にソーラーパネル（８）より蓄電するバッテリー（４）を内蔵した基台（２）を設置する。該基台（２）には、連結杆（９）を介して上部に案内部（３）を立設する。
該案内部（３）には、上部に各種の情報が流れる液晶パネルよりなる移動体通信パネル（携帯電話機能を内蔵する）、その内部には、通常の電気を有線により通電する装置とネット（有線ウェブ接続可能なもの）接続機能（５）と、下部には、夜間でも読めるようにした発光ダイオードのパネル等よりなるガラス製の時刻表（６）を装設してある。
該案内部（３）には、連結杆（９）等を介して最上部に各種の形状よりなる昼間の太陽光を充分に受けるためのソーラーパネル（８）を装設したものである。
【図面の簡単な説明】
【０００８】
【図１】  本発明のモバイルパネル版付バス停留所案内板を示す正面図である。
【符号の説明】
【０００９】１  案内板本体
２  基台
３  案内部
４  バッテリー
５  移動体通信パネル（携帯電話機能を内蔵）
６  時刻表
７  通常の電気を有線により通電する装置とネット（有線ウェブ接続可能なもの）接続機能
８  ソーラーパネル
９  連結杆
【図１】
2009217224.tif 000003